(57)【要約】  路上走行等、ダイナミックな運転状況下での排出ガス中に含まれるＰＭ質量の変化を簡単な構成で連続的に測定する粒子状物質測定装置である。この装置は、エンジン運転中の排出ガスを希釈して分流し、一方の排出ガスに含まれる粒子状物質は捕集フィルタ６１で捕集して質量を測定し、残りは質量関連値測定手段５で測定してその排出ガスに含まれる粒子状物質の質量を間接的に示唆する物性を時系列変化データとして連続的に測定するようにしておく。そして、各測定データの相関から粒子状物質の質量の時系列変化データを求める。この構成において、排出ガスを希釈するための希釈ガスの流量を調整して前記捕集フィルタ６１を通過する希釈排出ガスの流量と、質量関連値測定手段５に導入される希釈排出ガスの流量を確保するようにした。
2010007965.tif 000002
【特許請求の範囲】
【請求項１】
自動車の排気管に接続されるとともに希釈ガス導入口に接続され、エンジンの排出ガスを希釈ガスと混合して希釈する希釈器と、
前記希釈器で希釈された希釈排出ガスの一部が導入されて、その希釈排出ガスに含まれる粒子状物質の質量を間接的に示唆する質量関連値を連続的に測定する質量関連値測定手段と、
前記希釈排出ガスの残りを通過させて、そこに含まれる粒子状物質を捕集する捕集フィルタと、
前記希釈器に導入される希釈ガスの流量を調整する希釈ガス流量調整手段と、
前記捕集フィルタを通過する希釈排出ガスの流量を調整するフィルタ通過流量調整手段と、
前記フィルタ通過流量調整手段を制御して前記捕集フィルタを通過する希釈排出ガスの流量を一定値に保つとともに、前記希釈ガス流量調整手段を制御して質量関連値測定手段に導入される希釈排出ガスの必要流量を確保する制御部と、
前記捕集フィルタでエンジン運転中の所定期間に亘って捕集した粒子状物質の質量測定値と、前記質量関連値測定手段で測定した質量関連値の時系列変化データである質量関連値測定データの前記所定期間に亘る時間積分値との相関を算定し、その相関に基づいて、前記質量関連値測定データを粒子状物質の質量の時系列変化データに変換する情報処理部とを具備していることを特徴とする粒子状物質測定装置。
【請求項２】
自動車の排気管に接続されるとともに希釈ガス導入口に接続され、エンジンの排出ガスを希釈ガスと混合して希釈する希釈器と、
前記希釈器で希釈された希釈排出ガスの一部が導入されて、その希釈排出ガスに含まれる粒子状物質の質量を間接的に示唆する質量関連値を連続的に測定する質量関連値測定手段と、
前記希釈排出ガスの残りを通過させて、そこに含まれる粒子状物質を捕集する捕集フィルタと、
前記希釈器に導入される希釈ガスの流量を調整する希釈ガス流量調整手段と、
前記捕集フィルタを通過する希釈排出ガスの流量を調整するフィルタ通過流量調整手段と、
質量関連値測定手段に導入される希釈排出ガスの流量に基づいて前記フィルタ通過流量調整手段を制御し、質量関連値測定手段に導入される希釈排出ガスの流量と捕集フィルタを通過する希釈排出ガスの流量との合計流量を一定値に保つ制御部と、
前記捕集フィルタでエンジン運転中の所定期間に亘って捕集した粒子状物質の質量測定値と、前記質量関連値測定手段で測定した質量関連値の時系列変化データである質量関連値測定データの前記所定期間に亘る時間積分値との相関を算定し、その相関に基づいて、前記質量関連値測定データを粒子状物質の質量の時系列変化データに変換する情報処理部とを具備していることを特徴とする粒子状物質測定装置。
【請求項３】
路上を実走行する車両に搭載されて、車両走行中における排出ガス中の粒子状物質を測定するものである請求項１記載の粒子状物質測定装置。
【発明の詳細な説明】
【技術分野】
【０００１】
本発明は、エンジンの排出ガスに含まれる粒子状物質の質量を測定する粒子状物質測定装置等に関するものである。
【背景技術】
【０００２】
エンジンからの排出物質の１つである粒子状物質（ＰＭ：Ｐａｒｔｉｃｕｌａｔｅ  Ｍａｔｔｅｒｓと称されることもある。本明細書では、以下ＰＭとも言う。）の質量測定方法としてはフィルタ質量法が周知である。フィルタ質量法は、エンジン排出ガスの流路上に捕集フィルタを配置してＰＭを捕集し、その捕集したＰＭの質量を天秤などで測る方法であり、物性の特定できる標準物質が事実上存在しないＰＭにおいて、その質量を直接測定できることから、測定の確実性、正確性を期待できる。そのため、このフィルタ質量法を用いた測定装置のうち、エンジンの排出ガスの全量を希釈して分析を行う定容量サンプリング装置（ＣＶＳ：Ｃｏｎｓｔａｎｔ  Ｖｏｌｕｍｅ  Ｓａｍｐｌｅｒ）などが、現在の排出ガス試験で標準的に用いられている。【０００３】
一方、近時では、エンジン性能の更なる向上や環境問題を鑑みて、路上等でのダイナミックな走行中でのＰＭ排出量の時系列変化を測定したいという要請がある。しかしながら、前記フィルタ質量法は、一定期間の間に排出されたＰＭの積算質量のみがわかる、いわばバッチ式の測定方法であるため、ＰＭ質量が刻一刻、ダイナミックな運転状況に応じてどのように変化しているのかを知ることはできない。【０００４】
そこで、フィルタ質量法に代わる代替手段として、リアルタイムでＰＭを連続測定可能な、ＦＩＤ（Ｆｌａｍｅ  Ｉｏｎｉｚａｔｉｏｎ  Ｄｅｔｅｃｔｏｒ）、ＥＬＰＩ（Ｅｌｅｃｔｒｉｃ  Ｌｏｗ  Ｐｒｅｓｓｕｒｅ  Ｉｍｐａｃｔｏｒ）、ＳＭＰＳ（Ｓｃａｎｎｉｎｇ  Ｍｏｂｉｌｉｔｙ  Ｐａｒｔｉｃｌｅ  Ｓｉｚｅｒ）、ＤＣＳ（Ｄｉｆｆｕｓｉｏｎ  Ｃｈａｒｇｅｒ  Ｓｅｎｓｏｒ）などが提案・開発されてきている（特許文献１）。ＦＩＤは、サンプルガス中の炭素原子数を測定するもので、ＥＬＰＩ、ＳＭＰＳは、粒子数を計数する装置である。またＤＣＳは、粒子の表面を荷電させてその荷電量を測定する装置である。【０００５】
このような装置であれば、路上走行での計測も可能であるが、上述のとおり、これらは炭素原子数やＰＭ数、あるいはＰＭの表面積を測定するものであって、ＰＭの質量を直接的に測定するものではない。したがって、これらによる測定結果からＰＭ質量を求めようとすると、等しい条件で行った前記捕集フィルタ測定法による測定結果との相関をとり、その相関に基づいてＰＭ質量を計算する必要がある。【０００６】
そこで、例えば前もってエンジンの各運転状態でのフィルタ質量法と前記ＥＬＰＩ法等とによる測定結果の相関をとっておき、路上走行での上述したＥＬＰＩ等による測定結果に、この相関をあてはめ、ＰＭ質量の動的変化として算出することが考えられる。【０００７】
しかし、この相関はあくまでエンジンの各運転状態を一定な静的状態に保ったときの相関であるため、ダイナミックな運転がなされる路上走行において、この相関を直ちにあてはめ、実際のＰＭ質量の動的変化と推定するにはやや無理がある。
【先行技術文献】
【特許文献】
【０００８】
【特許文献１】特開２００６−５０６６４０号公報
【発明の概要】
【発明が解決しようとする課題】
【０００９】
本発明は、かかる課題に鑑みて行われたものであって、路上走行等、ダイナミックな運転状況下での排出ガス中に含まれるＰＭ質量の変化を簡単な構成で連続的に測定することをその主たる所期課題としたものである。
【課題を解決するための手段】
【００１０】
すなわち、請求項１記載の発明に係る粒子状物質測定装置は、以下の構成を備えていることを特徴とする。
（１）自動車の排気管に接続されるとともに希釈ガス導入口に接続され、エンジンの排出ガスを希釈ガスと混合して希釈する希釈器。
（２）前記希釈器で希釈された希釈排出ガスの一部が導入されて、その希釈排出ガスに含まれる粒子状物質の質量を間接的に示唆する質量関連値を連続的に測定する質量関連値測定手段。
（３）前記希釈排出ガスの残りを通過させて、そこに含まれる粒子状物質を捕集する捕集フィルタ。
（４）前記希釈器に導入される希釈ガスの流量を調整する希釈ガス流量調整手段。
（５）前記捕集フィルタを通過する希釈排出ガスの流量を調整するフィルタ通過流量調整手段。
（６）前記質量関連値測定手段に導入される希釈排出ガスの流量を測定する流量測定手段。
（７）前記フィルタ通過流量調整手段を制御して前記捕集フィルタを通過する希釈排出ガスの流量を一定値に保つとともに、前記希釈ガス流量調整手段を制御して質量関連値測定手段に導入される希釈排出ガスの必要流量を確保する制御部。
（８）前記捕集フィルタでエンジン運転中の所定期間に亘って捕集した粒子状物質の質量測定値と、前記質量関連値測定手段で測定した質量関連値の時系列変化データである質量関連値測定データの前記所定期間に亘る時間積分値との相関を算定し、その相関に基づいて、前記質量関連値測定データを粒子状物質の質量の時系列変化データに変換する情報処理部。【００１１】
このようなものであれば、エンジン運転中に測定された、ＰＭ質量を間接的に示す時系列的に連続な質量関連値測定データを、その運転中において排出されたＰＭの捕集フィルタによる直接的な捕集量との相関に基づいて、キャリブレーションし、ＰＭ質量の連続的時系列データに変換しているので、従来のように、路上走行などの動的な運転とは全く異なる静的な条件下で求めた固定された相関を用いる場合とは全く異なって、非常に信頼性の高いＰＭ質量の連続的時系列データを得ることができる。【００１２】
また、ハードウェアとしては、従来の捕集フィルタによるＰＭ採取機構における希釈排出ガスの配管に、質量関連値測定手段を追加するだけであり、その他の、例えば別途エアーを導入する機構などは不要であるため、非常に簡単に実現できる。【００１３】
さらに、希釈用のエアー流量を増減させて、排出ガスと混合させた希釈排出ガスの流量を制御することによって、常に、捕集フィルタの通過流量を一定にするとともに、質量関連値測定手段でサンプルされる必要流量を確保するようにしているので、流量不足による測定誤差等を好適に回避できる。【００１４】
また、請求項２記載の発明に係る粒子状物質測定装置は、以下の構成を具備していることを特徴とする。
（１）自動車の排気管に接続されるとともに希釈ガス導入口に接続され、エンジンの排出ガスを希釈ガスと混合して希釈する希釈器。
（２）前記希釈器で希釈された希釈排出ガスの一部が導入されて、その希釈排出ガスに含まれる粒子状物質の質量を間接的に示唆する質量関連値を連続的に測定する質量関連値測定手段。
（３）前記希釈排出ガスの残りを通過させて、そこに含まれる粒子状物質を捕集する捕集フィルタ。
（４）前記希釈器に導入される希釈ガスの流量を調整する希釈ガス流量調整手段。
（５）前記捕集フィルタを通過する希釈排出ガスの流量を調整するフィルタ通過流量調整手段。
（６）前記質量関連値測定手段に導入される希釈排出ガスの流量を測定する流量測定手段。
（７）前記質量関連値測定手段に導入される希釈排出ガスの流量に基づいて、前記フィルタ通過流量調整手段を制御し、質量関連値測定手段に導入される希釈排出ガスの流量と捕集フィルタを通過する希釈排出ガスの流量との合計流量を一定値に保つ制御部。
（８）前記捕集フィルタでエンジン運転中の所定期間に亘って捕集した粒子状物質の質量測定値と、前記質量関連値測定手段で測定した質量関連値の時系列変化データである質量関連値測定データの前記所定期間に亘る時間積分値との相関を算定し、その相関に基づいて、前記質量関連値測定データを粒子状物質の質量の時系列変化データに変換する情報処理部。【００１５】
このようなものでも、請求項１に係る発明同様、信頼性の高いＰＭ質量の連続的時系列データを得ることができ、また非常に簡単に実現できると言う効果を奏し得る。【００１６】
請求項３記載の発明に係る粒子状物質測定装置は、路上を実走行する車両に搭載可能なものにしておき、エンジンが動的に運転されている車両走行中における排出ガス中の粒子状物質を測定できるように構成したものである。このようなものであれば、前述した効果が特に顕著となる。また車両搭載のためには、捕集したＰＭを捕集フィルタを加熱して燃焼させ、その燃焼ガスの成分から前記ＰＭの質量を測定する構成にしておけばなお良い。【００１７】
なお、粒子状物質の質量を間接的に示唆する物性とは、粒子状物質の表面積、数、粒子径分布などのことである。
【発明の効果】
【００１８】
以上に説明した本願各請求項に係る発明は、エンジンを運転させながら測定した、ＰＭ質量を間接的に示す連続的時系列データと、その運転において排出された総ＰＭ質量の直接的な測定結果との相関を都度求め、その相関に基づいて、ＰＭ質量の連続的時系列データを算出するようにしている。【００１９】
したがって、従来のように、路上走行などの動的な運転とは全く異なる静的な条件下で求めた固定された相関を用いる場合とは全く異なって、非常に信頼性の高いＰＭ質量の連続的時系列データを得ることができる。【００２０】
また、ハードウェアとしては、従来の捕集フィルタによるＰＭ採取機構における希釈排出ガスの配管に、質量関連値測定手段を追加するだけであり、その他の、例えば別途エアーを導入する機構などは不要であるため、非常に簡単に実現できる。【００２１】
特に請求項１に係る発明によれば、希釈用のエアー流量を増減させて、排出ガスと混合させた希釈排出ガスの流量を制御することによって、常に、捕集フィルタの通過流量を一定にするとともに、質量関連値測定手段でサンプルされる必要流量を確保するようにしているので、流量不足による測定誤差等を好適に回避できるという効果も得られる。
【図面の簡単な説明】
【００２２】
【図１】本発明の一実施形態における粒子状物質測定装置を示す模式的概略全体図である。
【図２】同実施形態における質量関連値測定部の簡略化した内部構造を示す概略図である。
【図３】同実施形態におけるコンピュータの機能を示す機能ブロック図である。
【図４】同実施形態における制御部の動作の一部を示すフローチャートである。
【図５】同実施形態における粒子状物質測定方法の理解を助けるための説明図である。
【図６】本発明の第２実施形態における制御部の動作の一部を示すフローチャートである。
【発明を実施するための形態】
【００２３】
以下、本発明の一実施形態について図面を参照して説明する。
【００２４】
＜第１実施形態＞
図１に本実施形態に係る粒子状物質測定装置１００の全体概要を示す。この粒子状物質測定装置１００は、自動車に積載されて、路上走行中に内燃機関であるエンジンから排出される排出ガス中に含まれるＰＭの質量濃度を測定するものである。
【００２５】
この図１において、符号Ｅは、自動車の排気管であり、符号１は、排出ガスと希釈ガスであるエアーとを混合して希釈排出ガスを生成する混合器である。この混合器１には、前記排気管Ｅに接続されて排出ガスの一部が導入される排出ガス導入管Ｌ１と、一端が希釈ガス導入口Ｉａとして大気開放されたエアー導入管Ｌ２とが接続してある。このエアー導入管Ｌ２の途中には、希釈ガス流量調整手段２及び希釈ガス流量計３が直列に設けてある。希釈ガス流量調整手段２は、ピエゾバルブ２１、臨界流量オリフィス２２を並列に並べたもので、当該エアー導入管Ｌ２を流れるエアー流量を、後述するコンピュータ８からの指令信号によって一定希釈法乃至比例希釈法で制御できるように構成してある。希釈ガス流量計３は、例えばベンチュリ流量計である。
【００２６】
前記混合器１でエアーと混合されて希釈された希釈排出ガスは、図１に示すように、ダストを除去するためのサイクロン４を経て、一部は質量関連値測定手段５に導かれ、残りは捕集フィルタ６に導かれるように配管してある。
【００２７】
質量関連値測定手段５は、粒子状物質の質量を間接的に示唆する物性を連続的に測定し、その時系列変化データである質量関連値データを出力するものである。具体的にこのものは、簡略化した内部構造を図２に示すように、ＰＭの主成分と考えられる可溶性有機溶媒（ＳＯＦ：Ｓｏｌｕｂｌｅ  Ｏｒｇａｎｉｃ  Ｆｒａｃｔｉｏｎ、主として炭化水素である）及びすす（ｓｏｏｔ）を、それぞれ連続測定可能なＳＯＦ測定系５１とｓｏｏｔ測定系５２とを並列に接続してなるものである。
【００２８】
ＳＯＦ測定系５１には、図２に示すように、２つの水素炎イオン化検出器５１１が並列に設けてあり、このＳＯＦ測定系５１に導入された希釈排出ガスが各水素炎イオン化検出器５１１に分流して導かれるように構成してある。なお、図中符号Ｐａは吸引ポンプ、符号５１２は除去フィルタである。
【００２９】
しかして、一方の水素炎イオン化検出器５１１には、そこにまで至る配管を図示しない温調器などによって高温（約１９１℃）に保つことで、希釈排出ガスに含まれる炭化水素（ＳＯＦ）が固化若しくは液化することなく、そのまま導かれるように構成してある。また、他方の水素炎イオン化検出器５１１には、そこにまで至る配管を図示しない温調器などによって低温（４７℃±５℃）に保つことで、その低温で液化または固化する炭化水素（ＳＯＦ）は、除去フィルタ５１２で除去されて、導かれないように構成してある。
【００３０】
なお、水素炎イオン化検出器５１１は、導入された希釈排出ガスに含まれる炭化水素をイオン化した後、そのイオン電流を検出し、連続的かつリアルタイムで出力するもので、その検出信号の値はＳＯＦ質量と所定の相関があることから、この検出信号の値に基づいてＳＯＦ質量を推定算出できる。
【００３１】
ここでは、図示しない流量計によって各水素炎イオン化検出器５１１に導かれる流量を測定できることから、後述するコンピュータが、各水素炎イオン化検出器５１１の検出信号値から前記相関に基づいてＳＯＦ質量をそれぞれ推定算出し、流量及び希釈比率で除算した後、その差分をとって排出ガスの単位流量に含まれるＳＯＦ質量を推定算出するようにしている。
【００３２】
ｓｏｏｔ測定系５２には、図２に示すように、ＤＣセンサ５２１及び吸引ポンプＰｂが直列に設けてあるとともに、前記ＤＣセンサ５２１に至るまでの配管が、図示しない温調器などにより、所定温度（約１９１℃）に保持してある。これは、希釈排出ガス中に含まれるＳＯＦなど（特にｓｏｏｔに付着しているＳＯＦ）を揮発させ、ＤＣセンサ５２１にｓｏｏｔのみを導入するためである。
【００３３】
なお、ＤＣセンサ５２１は、拡散電荷法を利用してｓｏｏｔの表面積を連続かつリアルタイムで測定するもので、希釈排出ガスに含まれるｓｏｏｔに対してコロナ放電によって表面積に比例した電荷を与え、その電荷による電流量を検出して出力するものである。この検出信号の値は、電荷量がｓｏｏｔの表面積に比例することから、ｓｏｏｔの表面積を表すものとなる。ｓｏｏｔ表面積とｓｏｏｔ質量との間には所定の相関があることから、この検出信号の値からｓｏｏｔ質量を推定算出できる。
【００３４】
ここでは、図示しない流量計によってＤＣセンサ５２１に導かれる流量を測定できるため、後述するコンピュータ８が、ＤＣセンサ５２１の検出信号値から前記相関に基づいてｓｏｏｔ質量を推定算出し、流量と希釈比率で除算することによって、排出ガスの単位流量に含まれるｓｏｏｔ質量を推定算出している。
【００３５】
次に捕集フィルタ６１について説明する。この捕集フィルタ６１は、排出ガス測定のレギュレーション（測定基準）で定められている既知のものである。なお、捕集フィルタ６１に捕集されているＰＭの質量を計測するためには、従来どおり天秤法を用いても構わないが、フィルタ６１を着脱する手間や吸湿の問題があって、計測に時間を要することから、本実施形態では、例えば、天秤法との間で高い相関関係が確立されているフィルタ燃焼法を用いている。フィルタ燃焼法とは、フィルタ６１を加熱して、捕集したＰＭのみを燃焼させ、その燃焼ガスの成分と量を測定する方法である。
【００３６】
図１中、捕集フィルタ６１と並列に設けられている符号６２は、捕集フィルタ６１に希釈排出ガスを流さない場合の、希釈排出ガスの流通を担保するためのバイパス流路６２である。例えば、ＰＭ捕集期間外であって捕集フィルタ６１に希釈排出ガスを流さない場合には、捕集フィルタ６１側の開閉弁６１ａを閉じ、バイパス流路６２側の開閉弁６１ｂを開ける。逆に、ＰＭ捕集する場合は、捕集フィルタ６１側の開閉弁６１ａを開け、バイパス流路６２側の開閉弁６１ｂを閉じる。
【００３７】
捕集フィルタ６１を通過する希釈排出ガスの流量は、この捕集フィルタ６１の下流に設けたフィルタ通過流量調整手段７によって調整できるようにしてある。ここでのフィルタ通過流量調整手段７は、図１に示すように、捕集フィルタ６１の下流に直列に配置したベンチュリ流量計７１と、そのベンチュリ流量計７１の下流に設けた吸引ポンプ７２及びマスフローコントローラ７３とからなるものであり、マスフローコントローラ７３の流量を調整することでベンチュリ流量計７１の背圧を調整し、該ベンチュリ流量計７１を流れる希釈排出ガスの流量を調整できるように構成してある。
【００３８】
さらにこの実施形態では、前述したように、ＣＰＵ、メモリ、入出力インタフェースなどを備えた汎用乃至専用のコンピュータ８を設けている。このコンピュータは、前記メモリに記憶させた所定プログラムに基づいてＣＰＵや周辺機器を動作させることによって、図３に示すように制御部８１や情報処理部８２等としての機能を担うものである。
【００３９】
しかして、かかる構成の粒子状物質測定装置１００は、前述のように自動車に搭載され、その車両を路上などで実走行させた状態で作動させるが、そのときの動作について前記制御部８１や情報処理部８２の機能説明を兼ねて、以下に詳述する。
【００４０】
制御部８１は、まず、フィルタ通過流量調整手段７におけるマスフローコントローラ７３に指令信号を発してその通過流量を制御することでベンチュリ流量計７１の背圧を制御し、捕集フィルタ６１を通過する希釈排出ガスの流量（以下、フィルタ通過流量とも言う）をレギュレーションで定められた一定値に保つ（図４ステップＳ１）。
【００４１】
一方、制御部８１は、エンジンの排気管Ｅに取り付けられた図示しない流量計からの流量信号、エアー導入流量を測定するベンチュリ流量計３からの流量信号及び質量関連値測定手段５に設けられた図示しない流量計からの流量信号を受信し、各流量信号が示す排出ガス総流量、希釈用エアーの導入流量（以下、エアー導入流量とも言う）、質量関連値測定手段５に導入される希釈排出ガスの流量（以下、センサ用流量とも言う）に関するデータを、それぞれメモリに設定したデータ格納部８３に格納する（図４ステップＳ２）。
【００４２】
そして、これら測定値等に基づき、前記制御部８１は、希釈排出ガスの総流量が前記捕集フィルタ通過流量とセンサ用流量との総和流量となるように、希釈ガス流量調整手段２、より具体的にはピエゾバルブ２１に制御信号を出力して、エアー導入流量を一定希釈制御又は比例希釈制御する（図４ステップＳ３）。
【００４３】
なお、一定希釈制御とは、排気管Ｅから分流される排出ガスの流量とエアー導入流量との比が一定、すなわち希釈比が一定となるように、エアー導入流量を制御することである。比例希釈制御とは、排気管Ｅを流れる排出ガスの総流量に対して一定の流量比率で排出ガスが導入されるようにエアー導入流量を制御することである。
【００４４】
このように、制御部８１によって各部の流量が調整された状態において、情報処理部８２は、エンジン運転中の所定期間に亘って捕集フィルタ６１で捕集されたＰＭの質量をフィルタ燃焼法で計測した測定データ（以下、質量実測データとも言う）を、例えば運転後、自動的に又はオペレータ入力などで受け付ける。この質量実測データは、エンジン運転中でのフィルタ捕集期間に亘るトータルのＰＭ質量を示している。
【００４５】
また、その一方で情報処理部８２は、質量関連値測定手段５から出力される質量関連値測定データ、すなわちＳＯＦ測定系５１とｓｏｏｔ測定系５２からの検出信号の値を、微小サンプリング時間で次々連続的に取得する。そして、各サンプリングでの検出信号値から、前述したように、排出ガスの単位流量あたりのＳＯＦ質量及びｓｏｏｔ質量を算出してこれらを足し合わせた後、さらにそのサンプリング時刻での捕集フィルタ６１に導入されている排出ガスの流量を乗算する処理を施す。この処理を施した質量関連値測定データは、質量関連値の時系列変化データである。
【００４６】
そして、情報処理部８２は、前記質量実測データの示すＰＭ質量値と、前記質量関連値測定データの前記フィルタ捕集期間に亘る時間積分値との相関を算定する。相関とは、例えば、質量関連値測定データの値と質量関連値測定データの時間積分値との比率である。
【００４７】
最後に、情報処理部８２は、図５に示すように、前記相関に基づいて、質量関連値測定データを、排出ガスに含まれるＰＭ質量あるいはＰＭ濃度の時系列変化データに変換し、ディスプレイ等に出力する。
【００４８】
しかして、このＰＭ質量の時系列変化データは、実質的にリアルタイムで連続計測された質量関連値測定データを、その走行においてフィルタ質量法等を用いて直接測定されたＰＭの実測質量との相関に基づいてキャリブレーションしたものであり、いわば運転ごとに都度算出された相関を用いて算出されるものであるため、従来のように、路上走行などの動的な運転とは全く異なる静的な条件下で求めた固定された相関を用いるのとは異なって、非常に信頼性の高いものとなる。
【００４９】
また、この実施形態では希釈用のエアー流量を増減させて、排出ガスと混合させた希釈排出ガスの流量を制御することによって、常に、捕集フィルタ６１の通過流量を一定にするとともに、質量関連値測定手段５でサンプルされる必要流量を一定に確保するようにしているので、流量不足による測定誤差等を好適に回避できる。また、この実施形態では、捕集フィルタ６１の通過流量をレギュレーションに定められた一定流量にしているので、捕集フィルタ６１でのＰＭ捕集量を補正する必要がなく、精度の高い測定が可能となる。
【００５０】
＜第２実施形態＞
この第２実施形態では、ハードウェア構成は前記第１実施形態と同じであるが、ソフトウェア構成、すなわちコンピュータの動作が異なる。そこで、その差異点を中心に説明する。
【００５１】
この実施形態におけるコンピュータ８の制御部８１は、前記第１実施形態同様、センサ用流量等を測定する（図６ステップＳ１１）。次に、前記フィルタ通過流量調整手段７のマスフローコントローラ７３を制御して質量関連値測定手段５に導入される希釈排出ガスの流量と捕集フィルタ６１を通過する希釈排出ガスの流量（捕集フィルタ通過流量）との合計流量を常に一定値に保つ。すなわち、質量関連値測定手段５に導入される希釈排出ガスの流量（センサ用流量）は圧力変化等によって変動することから、制御部８１は、センサ用流量の測定値を取得しながら、マスフローコントローラ７３に指令信号を出力して、その変動分を埋めるように捕集フィルタ通過流量を調整し、前記合計流量が一定となるように制御する（図６ステップＳ１２）。
【００５２】
一方で、制御部８１は、希釈ガス流量調整手段２のピエゾバルブ２１を駆動して、希釈器１に導入されるエアー導入流量を、前述した一定希釈制御または比例希釈制御する（図６ステップＳ１３）。
【００５３】
その後の情報処理部８２での動作は前記第１実施形態とほぼ同じであるので、ここでの説明は省略する。
【００５４】
しかしてこのような構成によれば、前記第実施形態同様、路上走行中の車両から出る排出ガスのＰＭ濃度（質量）を略リアルタイムで検出できる。さらにこの実施形態では、希釈排出ガスの流量（捕集フィルタ通過流量とセンサ用流量との和）が、前記第１実施形態のように変動することなく常に一定に保たれるため、エアー導入流量に係る一定希釈制御または比例希釈制御を容易かつ精度良く行えるという効果を得られる。
【００５５】
なお、本発明は、前記実施形態に限られるものではない。
例えば、測定する所定期間とは、走行開始から走行終了までの全運転期間でも構わないし、そのうちの一部でも構わない。
【００５６】
また質量関連値測定手段には、前述したＤＣセンサや水素炎イオン化検出器（ＦＩＤ）のみならず、例えばＥＬＰＩやＳＭＰＳなどを用いて構わないし、ベンチュリではなく定容量ポンプで流量制御してもよい。
【００５７】
その他、本発明は、その趣旨を逸脱しない範囲で種々の変形が可能であることは言うまでもない。
【産業上の利用可能性】
【００５８】
本発明を適用することにより、路上走行等、ダイナミックな運転状況下での排出ガス中に含まれるＰＭ質量の変化を簡単な構成で連続的に測定することができる。
【符号の説明】
【００５９】
１００・・・粒子状物質測定装置
１    ・・・希釈器
２    ・・・希釈ガス流量調整手段
２２  ・・・第２測定部
５    ・・・質量関連値測定手段
６１  ・・・捕集フィルタ
７    ・・・フィルタ通過流量調整手段
８１  ・・・制御部
８２  ・・・情報処理部
Ｅ    ・・・排気管
Ｉａ  ・・・希釈ガス導入口
【図１】
2010007965.tif 000003
【図２】
2010007965.tif 000004
【図３】
2010007965.tif 000005
【図４】
2010007965.tif 000006
【図５】
2010007965.tif 000007
【図６】
2010007965.tif 000008
【国際調査報告】
2010007965.tif 000009
2010007965.tif 000010
2010007965.tif 000011